(57)【要約】【課題】  中子式の麺茹で鍋において、内鍋に茹で調理に効果的な対流を生じさせる。【解決手段】  外鍋１と、外鍋内に本体部２１が収納される笊状の内鍋２とで構成し、内鍋本体部２１の底面の中央部分を、上方へ突出した円錐状の突起２４に形成し、外鍋１内に内鍋２を収納し、通常通り茹で汁Ａを満たし加熱すると、外鍋において生じた沸騰による気泡Ｂが、内鍋底面の突起２４下方に溜まるが、笊の網目を通して内鍋２の中央を上昇するので、内鍋内に対流が生ずる。【選択図】  図３
2006129892.tif 000002
【特許請求の範囲】
【請求項１】
外鍋と、外鍋内に本体部が収納される笊状の内鍋とで構成された麺茹で鍋において、内鍋本体部の底面の中央部分を、上方へ突出した円錐状の突起に形成したことを特徴とする麺茹で鍋。
【請求項２】
突起傾斜面に、上方へ突出した突条を放射状に形成した請求項１記載の麺茹で鍋。
【請求項３】
内鍋本体部を外鍋内に中空状態で収納してなる請求項１又は２記載の麺茹で鍋。
【請求項４】
内鍋底面に脚部を設けて、内鍋本体部を外鍋内に中空状態で収納可能としてなる請求項３記載の麺茹で鍋。
【請求項５】
内鍋に、外鍋上縁部に対する係止部を設けて、内鍋本体部を外鍋内に中空状態で収納可能としてなる請求項３記載の麺茹で鍋。
【発明の詳細な説明】
【技術分野】
【０００１】
本発明は、パスタや乾麺等の茹で調理に使用する麺茹で鍋に関するものである。
【背景技術】
【０００２】
パスタなど麺類の茹で鍋は、外鍋と穴開きの内鍋で構成し、茹で上がった茹で汁を鍋内に残したまま麺類をそのまま引上げることのできる中子式の鍋が知られている。
【０００３】
ところで大鍋等で麺を茹でる場合には、大鍋内の湯が大きな対流を起こすので、麺が躍るような状態で茹でられて、麺の茹で上がり状態が均一となることが知られている。しかし前記の中子式茹で鍋では、内鍋の湯温を所定以上に上昇させ、麺を茹でることは可能であるが、湯の対流が内鍋によって阻害されて内鍋内で麺が踊るような状態とはならない。
【０００４】
この対応手段として特許文献１（特開２００１−１２８８４５号公報）には、内鍋の上縁部を茹で汁水面より下方に位置させる構成を採用することが提案されている。
【０００５】
【特許文献１】特開２００１−１２８８４５号公報。
【発明の開示】
【発明が解決しようとする課題】
【０００６】
麺茹でに中子式内鍋を採用した場合には、麺が対流によって踊るような状態とならないために、適宜攪拌することで対応している煩雑さがあった。
【０００７】
また前記した特許文献１記載に記載されている「内鍋を沈めた状態で麺茹でを行う」ことは、沸き上がった茹で汁が内鍋周囲から内鍋に侵入することで攪拌効果を奏するようにしている。しかし前記の対流状態では鍋周囲側が上昇流となり鍋中央で下降流とならなければ効果的な攪拌が期待できなく、前記対流を実現するには鍋の周囲部分を中央部分より加熱することになり、結果的に加熱源の熱が鍋周囲から逃げる結果となり熱効率の点で問題がある。
【０００８】
また内鍋が茹で汁に沈んだ状態であるので、茹で調理時に麺が内鍋外に移動する虞があり、中子式内鍋を採用した意義が薄れてしまう。
【０００９】
そこで本発明は、麺茹でに効果的な対流が生ずるようにした新規な内鍋を備えた麺茹で鍋を提案したものである。
【課題を解決するための手段】
【００１０】
本発明（請求項１）に係る麺茹で鍋は、外鍋と、外鍋内に本体部が収納される笊状の内鍋とで構成され、内鍋本体部の底面の中央部分を、上方へ突出した円錐状の突起に形成したことを特徴とするものである。
【００１１】
而して外鍋内に内鍋を収納し、通常通り茹で汁を満たし加熱すると、外鍋において生じた沸騰による気泡が、内鍋底面の突起下方に溜まるが、笊の網目を通して内鍋内中央を上昇するので、内鍋内に対流が生ずる。
【００１２】
また本発明（請求項２）は、前記茹で鍋において、突起傾斜面に、上方へ突出した突条を放射状に形成したもので、この突条によって底部の強度が高められると共に、沸騰による気泡が円錐突起下方中心に集まり易い。
【００１３】
更に本発明（請求項３）は、内鍋本体部を外鍋内に中空状態で収納するもので、これによって外鍋の底面で発生した気泡は、内鍋内対流と相まって突起下方に移動しやすくなり、内鍋内の対流がより以上促進される。
【発明の効果】
【００１４】
本発明は上記の構成であるから、内鍋に対流が生じ、麺茹で調理に際して麺が踊るような状態で茹でられることになり、中子式の利便さを損なうことなく、効率的な麺茹でを実現できたものである。更に沸騰による気泡が大きくなるので噴き零れが著しく減少する。
【発明を実施するための最良の形態】
【００１５】
次に本発明の実施の形態について説明する。図１乃至３に示した第一実施形態の麺茹で鍋は、外鍋１と内鍋２で構成される。
【００１６】
外鍋１は、従前と同様に所定の大きさ（容量）を備えた鍋で、容器状の本体部１１と適宜な把手１２を備えている。
【００１７】
内鍋２は、前記外鍋１に収納でき、内容物（パスタや麺）が外鍋１に零れ出ない大きさ（容量）の本体部２１と、把手２２で構成される。
【００１８】
特に本体部２１は金属網で形成した笊容器であり、金属板で形成した上縁部２３に把手２２を溶着しており、底面の中央部分は、上方へ突出した円錐状の突起２４に形成すると共に、前記突起２４の傾斜面に、上方へ突出した突条２５を放射状に形成したものである。
【００１９】
また本体部２１の底面には脚部２６を付設してなるもので、前記脚部は、金属線材で形成し、網状の底部に固定したものである。
【００２０】
而して前記の麺茹で鍋は、通常の中子式の鍋と同様に、内鍋２を外鍋１内に収納して、茹で汁Ａを満たし、加熱して茹で汁が沸騰状態に至るとパスタ等の麺を内鍋２内に投入して茹で調理を行うものである。
【００２１】
特に内鍋２は、脚部２６を備えているので、本体部２１の底部が外鍋１の内底面から浮き上がった状態となり、また内鍋２の本体部２１の底面には、突起２４及び突条２５が形成されている。このため外鍋１への加熱によって茹で汁Ａが沸騰し、沸騰で発生した気泡Ｂは、内鍋２の底面下で上昇しようとすると、突起傾斜面に添って突起２４の中央に移動するし、また突条２５に添っても更にスムーズに突起２４の中央に移動する。
【００２２】
この突起２４の中央に移動する気泡Ｂは逃げ場を求めて笊状の本体部２１を通過し、内鍋２内に侵入して上昇する。この気泡Ｂの上昇に伴って、内鍋２内の茹で汁Ａに対流が起こる。
【００２３】
従って内鍋２内に麺などの茹で調理対象物を投入すると、麺は前記の対流によって攪拌状態（踊っている状態）で茹でられることになり、全体として均一な茹で調理が実現することになる。
【００２４】
又本発明は、前記の第一実施形態に限定されるものではなく、内鍋２の中空保持として脚部２６に代えて、図４（第二実施形態）に例示するように内鍋２に外鍋１の縁部やその他適宜箇所に係止できる係止部２７を設けて、内鍋本体部２１を外鍋１内に吊り下げるようにしても良い。
【００２５】
更に図５（第三実施形態）に例示するように、内鍋２を金網による笊容器に替えて、多数の小孔を穿設したパンチ板で形成した笊容器を採用しても良い。
【００２６】
また内鍋の底面の突起の範囲は、鍋の半径の１／２程度から３／４程度の半径とするのが良いが、本体部の底部全体を円錐突起としても良い。
【図面の簡単な説明】
【００２７】
【図１】本発明の第一実施形態の内鍋の一部切断した正面図。
【図２】同平面図。
【図３】同使用状態の説明図（断面図）。
【図４】本発明の第二実施形態の使用状態の説明図。
【図５】本発明の第三実施形態の内鍋の一部切断した正面図。
【符号の説明】
【００２８】
１        外鍋
１１      本体部
１２      把手
２        内鍋
２１      本体部
２２      把手
２３      上縁部
２４      突起
２５      突条
２６      脚部
２７      係止部
【図１】
2006129892.tif 000003
【図２】
2006129892.tif 000004
【図３】
2006129892.tif 000005
【図４】
2006129892.tif 000006
【図５】
2006129892.tif 000007